(57)【要約】【課題】    本発明は、簡易にシールすることができる植物用包装体を提供することを目的としている。【解決手段】    植物用包装体Ｃは、花束、切り花、鉢等の植物Ｐを入れる開口縁部１ａと植物Ｐを収納する収納部１ｂを有した袋１と、開口縁部１ａを除く袋１の側縁に取り付けられ、袋１の内方への空気の封入を許容し、袋１の内方から袋１の外方への空気の流出を防止する逆止弁２と、袋１の開口縁部１ａと逆止弁２との間に袋１の開口を閉じるための熱シールする部分を余白として残している残余部分１Ａとを備えているものである。【選択図】図９
2006151415.tif 000002
【特許請求の範囲】
【請求項１】
花束、切り花、鉢等の植物を入れる開口縁部と前記植物を収納する収納部を有した袋と、
前記開口縁部を除く前記袋の側縁に取り付けられ、前記袋の内方への空気の封入を許容し、前記袋の内方から前記袋の外方への空気の流出を防止する逆止弁と、
前記袋の開口縁部と前記逆止弁との間に前記袋の開口を閉じるための熱シールする部分を余白として残している残余部分とを備えている
ことを特徴とする植物用包装体。
【請求項２】
花束、切り花、鉢等の植物を入れる開口縁部と前記植物を収納する収納部を有した袋と、
前記開口縁部を除く前記袋の側縁に取り付けられ、前記袋の内方への空気の封入を許容し、前記袋の内方から前記袋の外方への空気の流出を防止する逆止弁と、
前記袋の開口縁部と前記逆止弁との間に前記袋の開口を閉じるための熱シールする部分を余白として残している残余部分とを備え、
前記袋の収納部に前記植物を入れ、前記袋の開口を閉じるように前記残余部分を熱シールして前記袋を密閉し、その後、前記逆止弁より空気を前記袋の内方へ注入することを特徴とする植物用包装体の包装方法。
【請求項３】
花束、切り花、鉢等の植物を入れる開口縁部と前記植物を収納する収納部を有した袋と、
前記開口縁部を除く前記袋の側縁に取り付けられ、前記袋の内方への空気の封入を許容し、前記袋の内方から前記袋の外方への空気の流出を防止する逆止弁と、
前記袋の開口縁部と前記逆止弁との間に前記植物の長さに応じて切断できる部分を余白として残している残余部分とを備え、
前記袋の収納部に前記植物を入れ、前記袋の開口を閉じるように前記残余部分を熱シールして前記袋を密閉し、その後、前記逆止弁より空気を前記袋の内方へ注入し、注入後、前記残余部分の熱シールした部位の外側を切断することを特徴とする植物用包装体の包装方法。
【請求項４】
花束、切り花、鉢等の植物を入れる開口縁部と前記植物を収納する収納部を有した袋と、
前記開口縁部を除く前記袋の側縁に取り付けられ、前記袋の内方への空気の封入を許容し、前記袋の内方から前記袋の外方への空気の流出を防止する逆止弁と、
前記袋の開口縁部と前記逆止弁との間に前記植物の長さに応じて切断できる部分を余白として残している残余部分とを備え、
前記袋の収納部に前記植物を入れ、前記植物の長さが短い場合、前記残余部分の一部を切断し、前記袋の開口を閉じるように残った前記残余部分を熱シールして前記袋を密閉し、その後、前記逆止弁より空気を前記袋の内方へ注入することを特徴とする植物用包装体の包装方法。
【請求項５】
花束、切り花、鉢等の植物を入れる開口部と前記植物を収納する収納部を有した袋と、
前記開口部を除く前記袋の側縁に取り付けられ、前記袋の内方への空気の封入を許容し、前記袋の内方から前記袋の外方への空気の流出を防止する逆止弁と、
前記袋の開口部に取り付けられた密閉用ファスナーと、
を備えていることを特徴とする植物用包装体。
【発明の詳細な説明】
【技術分野】
【０００１】
本発明は、植物用包装体及び植物用包装体の包装方法に係り、特に、簡易にシールすることができる植物用包装体及び植物用包装体の包装方法に関する。
【背景技術】
【０００２】
輸送されてきた切花を店頭でそのまま陳列し、購入者がそのまま持ち帰ることができる植物用包装体がある（例えば、特許文献１  図１〜図４参照）。
これは、花束、切り花等の植物を入れる容器の開口縁部に予め逆止弁の一面を融着して、容器内に前記植物を入れた後、逆止弁の他の一面と共に、融着して前記容器の開口を閉じるように熱シールしている。
【特許文献１】特開２００４−１１５０２２号公報（図１〜図４）
【発明の開示】
【発明が解決しようとする課題】
【０００３】
厚さが均一な部分を熱シールする場合、熟練を要しないが、上述した容器にあっては、二枚のフィルムの中途に逆止弁が介在すると、熱シールする部位の厚さが不均一となり、特に、店頭等の慣れない店員が熱シールする場合、熱シールが不十分で容器内の密閉が不完全であるという問題点が生じた。
本発明は、上述した問題点を除去するようにした植物用包装体及び植物用包装体の包装方法を提供するものである。
【課題を解決するための手段】
【０００４】
上記目的を達成するために、請求項１記載の植物用包装体は、花束、切り花、鉢等の植物を入れる開口縁部と前記植物を収納する収納部を有した袋と、前記開口縁部を除く前記袋の側縁に取り付けられ、前記袋の内方への空気の封入を許容し、前記袋の内方から前記袋の外方への空気の流出を防止する逆止弁と、前記袋の開口縁部と前記逆止弁との間に前記袋の開口を閉じるための熱シールする部分を余白として残している残余部分とを備えている。
【０００５】
また、請求項２記載の植物用包装体の包装方法は、花束、切り花、鉢等の植物を入れる開口縁部と前記植物を収納する収納部を有した袋と、前記開口縁部を除く前記袋の側縁に取り付けられ、前記袋の内方への空気の封入を許容し、前記袋の内方から前記袋の外方への空気の流出を防止する逆止弁と、前記袋の開口縁部と前記逆止弁との間に前記袋の開口を閉じるための熱シールする部分を余白として残している残余部分とを備え、前記袋の収納部に前記植物を入れ、前記袋の開口を閉じるように前記残余部分を熱シールして前記袋を密閉し、その後、前記逆止弁より空気を前記袋の内方へ注入する。
【０００６】
また、請求項３記載の植物用包装体の包装方法は、花束、切り花、鉢等の植物を入れる開口縁部と前記植物を収納する収納部を有した袋と、前記開口縁部を除く前記袋の側縁に取り付けられ、前記袋の内方への空気の封入を許容し、前記袋の内方から前記袋の外方への空気の流出を防止する逆止弁と、前記袋の開口縁部と前記逆止弁との間に前記植物の長さに応じて切断できる部分を余白として残している残余部分とを備え、前記袋の収納部に前記植物を入れ、前記袋の開口を閉じるように前記残余部分を熱シールして前記袋を密閉し、その後、前記逆止弁より空気を前記袋の内方へ注入し、注入後、前記残余部分の熱シールした部位の外側を切断する。
【０００７】
また、請求項４記載の植物用包装体の包装方法は、花束、切り花、鉢等の植物を入れる開口縁部と前記植物を収納する収納部を有した袋と、前記開口縁部を除く前記袋の側縁に取り付けられ、前記袋の内方への空気の封入を許容し、前記袋の内方から前記袋の外方への空気の流出を防止する逆止弁と、前記袋の開口縁部と前記逆止弁との間に前記植物の長さに応じて切断できる部分を余白として残している残余部分とを備え、前記袋の収納部に前記植物を入れ、前記植物の長さが短い場合、前記残余部分の一部を切断し、前記袋の開口を閉じるように残った前記残余部分を熱シールして前記袋を密閉し、その後、前記逆止弁より空気を前記袋の内方へ注入する。
【０００８】
また、請求項５記載の植物用包装体は、花束、切り花、鉢等の植物を入れる開口部と前記植物を収納する収納部を有した袋と、前記開口部を除く前記袋の側縁に取り付けられ、前記袋の内方への空気の封入を許容し、前記袋の内方から前記袋の外方への空気の流出を防止する逆止弁と、前記袋の開口部に取り付けられた密閉用ファスナーとをを備えている
。
【発明の効果】
【０００９】
請求項１記載の植物用包装体によれば、例えば、花屋さんで、購入した植物を植物用包装体に収納し、袋を密封する際、袋の開口縁部と逆止弁との間に袋の開口を閉じるための熱シールする部分を余白として残している残余部分とを備えているため、つまり、逆止弁を避けてシールすることができるため、熟練を要しないで袋の開口を閉じるようにシールすることができると共に、逆止弁より袋の内部へ空気を封入して、植物を簡易に包装することができる。
【００１０】
また、請求項２記載の植物用包装体の包装方法によれば、袋の収納部に植物を入れ、袋の開口を閉じるように残余部分を熱シールするため、逆止弁を避けてシールすることができ、熟練を要しないで袋の開口を閉じるようにシールすることができると共に、逆止弁より袋の内部へ空気を封入して、植物を簡易に包装することができる。
【実施例】
【００１１】
本発明の一実施例の植物用包装体及び植物用包装を図面を参照して説明する。
図１乃至図８において、Ｃは植物用包装体で、植物用包装体Ｃは、花束、切り花、鉢等の植物Ｐを入れる開口縁部１ａと植物Ｐを収納する収納部１ｂを有した袋と、開口縁部１ａを除く袋１の側縁（側縁は、例えば、図１で言えば、側縁１ｃ、１ｅ）に取り付けられ、袋１の内方への空気の封入を許容し、袋１の内方から袋１の外方への空気の流出を防止する逆止弁２とを備えている。
【００１２】
袋１は、例えば、材質は、ポリエチレンで、空気が封入されていない状態の形状は、扁平な略三角形状となっている。なお、袋１は、図８に示すように、略三角形状のシート状部材を逆止弁２を介して重ね合わせ、開口縁部１ａを除く、側縁１ｃ、１ｄ、１ｅを熱シールにより融着させる。また、図８においては、二枚のフィルムを重ね合わせたが、図９に示すように、一枚のフィルムを折って側縁１ｃ、１ｄを熱シールにより融着させるようにしても良い。
また、袋１の形状は、図１乃至図９に記載したような「空気が封入されていない状態で、略三角形状となる」ものに限らず、例えば、図示しないが、空気が封入されていない状態で、略長方形でも良い。
【００１３】
逆止弁２は、周知のもので、例えば、対向するフィルムをハの字状に融着させ、該ハの字状の内部は融着しないようにし、該ハの字状の内部を空気が通過するようにし、袋の内部にある程度空気がたまると、空気の通過を停止させる。すると、封入された空気が該ハの字状の内部を密着するように作用して逆止弁２の機能を発揮するようになっている。
【００１４】
１Ａは、袋１の開口縁部１ａと逆止弁２との間に袋１の開口を閉じるための熱シールする部分を余白として残している残余部分であり、又、袋１の開口縁部１ａと逆止弁２との間に植物Ｐの長さに応じて切断できる部分を余白として残している残余部分である。
【００１５】
従って、袋１の収納部１ｂに植物Ｐを入れ（図１参照）、袋１の開口を閉じるように残余部分１Ａを熱シールして（熱シールの部位１Ｂ  図２参照）袋１を密閉し、その後、逆止弁２より空気を袋１の内方へ注入する（図３参照）。
この植物用包装体Ｃによれば、例えば、花屋さんで、購入した植物Ｐを植物用包装体Ｃに収納し、袋１を密封する際、袋１の開口縁部１ａと逆止弁２との間に袋１の開口を閉じるための熱シールする部分を余白として残している残余部分１Ａとを備えているため、つまり、逆止弁２を避けてシールすることができるため、熟練を要しないで袋１の開口を閉じるようにシールすることができと共に、逆止弁２より袋１の内部へ空気を封入して、植物Ｐを簡易に包装することができる。
【００１６】
なお、残余部分１Ａは、シールする部分であると共に、植物用包装体Ｃ内に入れられる植物Ｐの長さがある程度長ければ、図７（ａ）（ｂ）に示すように、袋１の高さＨをそのままとして、シールするだけで良いが、植物Ｐの長さが短い場合、図７（ｃ）に示すように、残余部分１Ａの熱シールした部位１Ｂの外側を切断するようにしても良い。袋１の高さはｈ（ｈ＜Ｈ）となる［図７（ｃ）参照］。
その際、熱シール後、、図７（ｃ）に示すように、残余部分１Ａの熱シールした部位１Ｂの外側を切断したが、場合により、逆に、残余部分１Ａの一部を切断した後、熱シールするようにしても良い。
【００１７】
また、上述した実施例においては、袋１の開口部を熱シールにより密閉になるようにしたが、本願発明にあっては、これに限らず、例えば、図示しないが、袋１の開口部に密閉用ファスナー（密閉用ファスナーは、図示しないが、周知の、例えば、実公平７−５１５０９号公報記載の密閉用ファスナー、特許３０５５０１５号公報記載の密閉用の帯状ファスナーである。）を取り付け、袋１の開口部より、花束、切り花、鉢等の植物Ｐを入れ、その後、図示しない密閉用ファスナーにより袋１の開口部を閉じ、逆止弁２より空気を袋１の内方へ注入すれば良い。
【図面の簡単な説明】
【００１８】
【図１】図１は、本発明の一実施例の植物用包装体の概略的図で、植物用包装体に花束、切り花、鉢等の植物を入れようとする状態を示している。
【図２】図２は、図１の植物用包装体の残余部分に袋の開口を閉じるために熱シールした状態の概略的図である。
【図３】図３は、図２の植物用包装体の逆止弁より空気を袋の内方へ注入した状態の概略的斜視図である。
【図４】図４は、図３のＸ−Ｘ線による概略的断面図である。
【図５】図５は、図３のＹ−Ｙ線による概略的断面図である。
【図６】図６は、図３のＺ−Ｚ線による概略的断面図である。
【図７】図７は、図１の植物用包装体の概略的平面図で、（ａ）はシール前の状態を、（ｂ）（ｃ）はシール後をそれぞれ示し、（ｃ）は植物用包装体に収納する植物の長さが短い場合、植物用包装体の残余部分の一部を切断する状態を示している。
【図８】図８は、図１の植物用包装体の概略的分解斜視図である。
【図９】図９は、図８の他の実施例の概略的分解斜視図である。
【符号の説明】
【００１９】
Ｃ  ・・・・・植物用包装体
Ｐ  ・・・・・植物
１  ・・・・・袋
１Ａ・・・・・残余部分
１ａ・・・・・開口縁部
１ｂ・・・・・収納部
２  ・・・・・逆止弁
【図１】
2006151415.tif 000003
【図２】
2006151415.tif 000004
【図３】
2006151415.tif 000005
【図４】
2006151415.tif 000006
【図５】
2006151415.tif 000007
【図６】
2006151415.tif 000008
【図７】
2006151415.tif 000009
【図８】
2006151415.tif 000010
【図９】
2006151415.tif 000011